【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
光源と、前記光源が発光する光が入射する入射面および該入射面に入射した光を照明光として射出するための射出面を有する光学部材とを備え、
前記光学部材は、前記射出面と対向するように配置され、前記入射面に入射した光の前記光学部材内の進行方向を規制しながら該光を前記射出面に導くための光方向変換面を有し、前記光方向変換面には、全反射面および再入射面を有する複数のプリズム状の部位が、０．３（ｍｍ）≦Ｄ≦４．０（ｍｍ）の範囲内の値であるピッチＤで連続して形成され、
前記光学部材内を進行し前記プリズム状の部位の１つの全反射面に到達した光のうち、所定角度成分の光のみが該全反射面で前記射出面に向けて全反射され、該全反射面で全反射されない所定角度成分以外の光は、該１つのプリズム状の部位で屈折して前記光学部材外に一旦導かれた後に該１つのプリズム状の部位に続くプリズム状の部位の再入射面を介して再度前記光学部材内に導かれることを特徴とする照明装置。
【請求項２】
前記全反射面の前記射出面に対する角度をΦとすると、該角度Φは、
π／６（ｒａｄ）≦Φ≦π／４（ｒａｄ）
の関係式を満足するように設定されることを特徴とする請求項１記載の照明装置。
【請求項３】
前記全反射面の角度Φは、前記プリズム状の部位のそれぞれに対して一定の値に設定されていることを特徴とする請求項１記載の照明装置。
【請求項４】
前記全反射面の角度Φは、前記入射面から離れる位置にあるプリズム状の部位ほど、小さくなるように設定されることを特徴とする請求項１記載の照明装置。
【請求項５】
前記光学部材の厚さが前記入射面から離れた位置に向かうに従い漸次薄くなるように、前記プリズム状の部位のそれぞれにおける全反射面と再入射面との交点で形成される頂点をそれぞれ結ぶ包絡線が前記入射面から離れた位置に向かうに従い変化することを特徴とする請求項１記載の照明装置。
【請求項６】
前記光学部材の厚さが前記入射面から離れた位置に向かうに従い漸次厚くなるように、前記プリズム状の部位のそれぞれにおける全反射面と再入射面との交点で形成される頂点をそれぞれ結ぶ包絡線が前記入射面から離れた位置に向かうに従い変化することを特徴とする請求項１記載の照明装置。
【請求項７】
撮影レンズ鏡筒部を備える撮影装置に装着可能な照明装置であって、
光源と、
前記光源が発光する光を入射し、該入射した光を所定方向へ導くための第１の光学部材と、
前記撮影レンズ鏡筒の光軸方向に向う射出面を有し、前記第１の光学部材と結合されている第２の光学部材とを備え、
前記第２の光学部材は、前記射出面と対向するように配置され、前記入射面に入射した光の前記第２の光学部材内の進行方向を規制しながら該光を前記射出面に導くための光方向変換面を有し、前記光方向変換面には、全反射面および再入射面を有する複数のプリズム状の部位が、０．３（ｍｍ）≦Ｄ≦４．０（ｍｍ）の範囲内の値であるピッチＤで連続して形成され、
前記第２の光学部材内を進行し前記プリズム状の部位の１つの全反射面に到達した光のうち、所定角度成分の光のみが該全反射面で前記射出面に向けて全反射され、該全反射面で全反射されない所定角度成分以外の光は、該１つのプリズム状の部位で屈折して前記第２の光学部材外に一旦導かれた後に該１つのプリズム状の部位に続くプリズム状の部位の再入射面を介して再度前記第２の光学部材内に導かれることを特徴とする照明装置。
【請求項８】
撮影レンズ鏡筒部およびその周囲に位置する光源を備える撮影装置に装着可能な照明装置であって、
前記光源が発光する光を入射し、該入射した光を所定方向へ導くための第１の光学部材と、
前記撮影レンズ鏡筒の光軸方向に向う射出面を有し、前記第１の光学部材と結合されている第２の光学部材とを備え、
前記第２の光学部材は、前記射出面と対向するように配置され、前記入射面に入射した光の前記第２の光学部材内の進行方向を規制しながら該光を前記射出面に導くための光方向変換面を有し、前記光方向変換面には、全反射面および再入射面を有する複数のプリズム状の部位が、０．３（ｍｍ）≦Ｄ≦４．０（ｍｍ）の範囲内の値であるピッチＤで連続して形成され、
前記第２の光学部材内を進行し前記プリズム状の部位の１つの全反射面に到達した光のうち、所定角度成分の光のみが該全反射面で前記射出面に向けて全反射され、該全反射面で全反射されない所定角度成分以外の光は、該１つのプリズム状の部位で屈折して前記第２の光学部材外に一旦導かれた後に該１つのプリズム状の部位に続くプリズム状の部位の再入射面を介して再度前記第２の光学部材内に導かれることを特徴とする照明装置。
【請求項９】
前記第２の光学部材は、前記撮影レンズ鏡筒部の外周を取り囲むような略リング形状の部材からなることを特徴とする請求項７または８記載の照明装置。
【請求項１０】
前記第２の光学部材の前記射出面は、前記撮影レンズ鏡筒部の外周に沿って帯状に延びる面からなることを特徴とする請求項９記載の照明装置。
【請求項１１】
前記第２の光学部材の前記射出面は、前記撮影レンズ鏡筒部の外周に沿って間隔を置いて配置されている複数の面からなり、前記光方向変換面は、前記射出面のそれぞれに対向するように配置されている複数の面からなることを特徴とする請求項９記載の照明装置。
【請求項１２】
前記第１の光学部材は、入射した光を前記第２の光学部材に向わせるように全反射する全反射面を有することを特徴とする請求項７または８記載の照明装置。
【請求項１３】
前記第１の光学部材は、入射した光を前記第２の光学部材に導く間に照射範囲を狭める集光作用を有することを特徴とする請求項７または８記載の照明装置。
【請求項１４】
前記第１の光学部材は、前記光源から入射した光を前記撮影レンズ鏡筒部の単一の接線方向へ入射させるように、前記第２の光学部材と結合されていることを特徴とする請求項７または８記載の照明装置。
【請求項１５】
前記第１の光学部材と前記第２の光学部材とは、一体的に形成されていることを特徴とする請求項７または８記載の照明装置。
【請求項１６】
前記全反射面の前記射出面に対する角度をΦとすると、該角度Φは、
π／６（ｒａｄ）≦Φ≦π／４（ｒａｄ）
の関係式を満足するように設定されることを特徴とする請求項７または８記載の照明装置。
【請求項１７】
前記第２の光学部材の半径をｒとすると、該半径ｒは、
１０（ｍｍ）≦ｒ≦１００（ｍｍ）
の範囲内の値に設定されていることを特徴とする請求項９記載の照明装置。
【請求項１８】
前記第２の光学部材の半径方向の幅をｗとすると、該幅ｗは、
１（ｍｍ）≦ｗ≦１０（ｍｍ）
の範囲内の値に設定されていることを特徴とする請求項９記載の照明装置。
【請求項１９】
前記光源は、定常光を発する光源であることを特徴とする請求項１ないし１８のいずれか１つに記載の照明装置。
【請求項２０】
前記光源は、瞬間的な光を発する光源であることを特徴とする請求項１ないし１８のいずれか１つに記載の照明装置。
【請求項２１】
請求項１ないし２０のいずれか１つに記載の照明装置を搭載したことを特徴とする撮影装置。
【手続補正２】
【補正対象書類名】明細書
【補正対象項目名】００１４
【補正方法】変更
【補正の内容】
【００１４】
本発明は、上記目的を達成するため、光源と、前記光源が発光する光が入射する入射面および該入射面に入射した光を照明光として射出するための射出面を有する光学部材とを備え、前記光学部材は、前記射出面と対向するように配置され、前記入射面に入射した光の前記光学部材内の進行方向を規制しながら該光を前記射出面に導くための光方向変換面を有し、前記光方向変換面には、全反射面および再入射面を有する複数のプリズム状の部位が、０．３（ｍｍ）≦Ｄ≦４．０（ｍｍ）の範囲内の値であるピッチＤで連続して形成され、前記光学部材内を進行し前記プリズム状の部位の１つの全反射面に到達した光のうち、所定角度成分の光のみが該全反射面で前記射出面に向けて全反射され、該全反射面で全反射されない所定角度成分以外の光は、該１つのプリズム状の部位で屈折して前記光学部材外に一旦導かれた後に該１つのプリズム状の部位に続くプリズム状の部位の再入射面を介して再度前記光学部材内に導かれることを特徴とする。
【手続補正３】
【補正対象書類名】明細書
【補正対象項目名】００１５
【補正方法】変更
【補正の内容】
【００１５】
本発明は、上記目的を達成するため、撮影レンズ鏡筒部を備える撮影装置に装着可能な照明装置であって、光源と、前記光源が発光する光を入射し、該入射した光を所定方向へ導くための第１の光学部材と、前記撮影レンズ鏡筒の光軸方向に向う射出面を有し、前記第１の光学部材と結合されている第２の光学部材とを備え、前記第２の光学部材は、前記射出面と対向するように配置され、前記入射面に入射した光の前記第２の光学部材内の進行方向を規制しながら該光を前記射出面に導くための光方向変換面を有し、前記光方向変換面には、全反射面および再入射面を有する複数のプリズム状の部位が、０．３（ｍｍ）≦Ｄ≦４．０（ｍｍ）の範囲内の値であるピッチＤで連続して形成され、前記第２の光学部材内を進行し前記プリズム状の部位の１つの全反射面に到達した光のうち、所定角度成分の光のみが該全反射面で前記射出面に向けて全反射され、該全反射面で全反射されない所定角度成分以外の光は、該１つのプリズム状の部位で屈折して前記第２の光学部材外に一旦導かれた後に該１つのプリズム状の部位に続くプリズム状の部位の再入射面を介して再度前記第２の光学部材内に導かれることを特徴とする。
【手続補正４】
【補正対象書類名】明細書
【補正対象項目名】００１６
【補正方法】変更
【補正の内容】
【００１６】
本発明は、上記目的を達成するため、撮影レンズ鏡筒部およびその周囲に位置する光源を備える撮影装置に装着可能な照明装置であって、前記光源が発光する光を入射し、該入射した光を所定方向へ導くための第１の光学部材と、前記撮影レンズ鏡筒の光軸方向に向う射出面を有し、前記第１の光学部材と結合されている第２の光学部材とを備え、前記第２の光学部材は、前記射出面と対向するように配置され、前記入射面に入射した光の前記第２の光学部材内の進行方向を規制しながら該光を前記射出面に導くための光方向変換面を有し、前記光方向変換面には、全反射面および再入射面を有する複数のプリズム状の部位が、０．３（ｍｍ）≦Ｄ≦４．０（ｍｍ）の範囲内の値であるピッチＤで連続して形成され、前記第２の光学部材内を進行し前記プリズム状の部位の１つの全反射面に到達した光のうち、所定角度成分の光のみが該全反射面で前記射出面に向けて全反射され、該全反射面で全反射されない所定角度成分以外の光は、該１つのプリズム状の部位で屈折して前記第２の光学部材外に一旦導かれた後に該１つのプリズム状の部位に続くプリズム状の部位の再入射面を介して再度前記第２の光学部材内に導かれることを特徴とする。